(57)【特許請求の範囲】
【請求項１】
本体内壁部及び本体外壁部と、第１及び第２の端部とを有し、前記本体内壁部は前記第１の端部と前記第２の端部との間に配された空洞部の少なくとも一部を規定する本体部と、
末端内壁部及び末端外壁部と、前記末端内壁部と前記末端外壁部との間に延在するホール部とを有する第１及び第２の末端部であって、それぞれが前記空洞部内に少なくとも一部配され、圧力下の気体を維持するように互いに離れている当該第１及び第２の末端部と、
前記空洞部内の第１及び第２の電極と、
第１及び第２のアンテナ端部を有し、前記本体部の本体外壁部と前記第１及び第２の末端部の一方の前記末端外壁部とに形成されたアンテナと
を有する放電ランプであって、
前記アンテナは、前記第１及び第２の電極に直接的に接続されず、前記アンテナが、前記本体部の前記本体内壁部に更に形成された、放電ランプ。
【請求項２】
前記アンテナが、前記第１及び第２の電極に対して浮く電位を有する請求項１記載の放電ランプ。
【請求項３】
前記アンテナが、前記第１及び第２の電極に容量結合された請求項１記載の放電ランプ。
【請求項４】
前記アンテナが、タングステンを有する請求項１記載の放電ランプ。
【請求項５】
前記アンテナの前記第１の端部が、前記アンテナが形成された前記第１の末端部又は前記第２の末端部の前記ホール部に少なくとも部分的に延在する請求項１記載の放電ランプ。
【請求項６】
前記第１及び第２の末端部の対応する一方の前記ホール部内に少なくとも一部配された少なくとも１つのフリットを更に有する請求項１記載の放電ランプ。
【請求項７】
前記少なくとも１つのフリットが前記アンテナと接触している請求項６記載の放電ランプ。
【請求項８】
前記アンテナが、前記少なくとも１つのフリットを介して前記第１及び第２の電極に容量又は抵抗結合された請求項６記載の放電ランプ。
【請求項９】
第１及び第２の端部を有し、前記第１又は第２の末端部の対応する一方の前記ホール部の中に少なくとも一部配された１つ又はそれ以上のフィードスルーを更に有し、前記１つ又はそれ以上のフィードスルーの１つは、アンテナと接触している前記フリットと接触している請求項８記載の放電ランプ。
【請求項１０】
前記第１の末端部又は前記第２の末端部の一方の前記ホール部を通り、２０ないし１００ミクロンの距離だけ前記アンテナの前記第１の端部から離れているフィードスルーを更に有する請求項１記載の放電ランプ。
【請求項１１】
前記空洞部が、塩、アマルガム及びバッファガスを有する混合物で満たされ、前記バッファガスは、２２ないし１０００トルの圧力においてアルゴン、キセノン、クリプトン及びネオンのうちの１つ又はそれ以上を有する請求項１記載の放電ランプ。
【発明の詳細な説明】
【技術分野】
【０００１】
本システムは、広義には、高圧ナトリウム（ＨＰＳ）放電ランプのような高圧放電ランプ（ＨＩＤ）に係り、より詳細には、ランプの始動動作を向上させる一体化されたハイブリッドイグニションアンテナ（ＩＡ又はアンテナ）を有するＨＩＤ又はＨＰＳ放電ランプと、上記ランプを形成する及び動作させる方法とに関する。
【背景技術】
【０００２】
一般に、典型的なＨＰＳタイプのランプ（以下、ＨＰＳランプと言う。）の光度又は電力１ワット当たりの光子束のような照明性能ファクタを改善するために、より高い内部ガス（例えば、Ｘｅ等）圧力が用いられる。しかしながら、このより高い内部ガス圧力のため、最初にランプをつける又はランプを点火するためにより大きいイグニションパルスが必要とされる。従って、例えば、イグナイタ、ソケット等のような照明器具の部品は、このより大きいイグニションパルスに耐えることができなければならない。残念なことに、このより大きいイグニションパルスは、従来の照明器具の部品の動作範囲を超え得ることが多い。例えば、照明器具は、このより大きいイグニションパルスの電圧よりも小さい電圧を超えないように定められたコンバータ、バラスト、イグナイタ、ソケット、ワイヤ等を有している。残念なことに、照明器具及び／又は該照明器具の部品（例えば、コンバータ、バラスト、バルブソケット、配線等）の置換は、コスト及び／又は他の制約（例えば、設計、物理的な配置等）の点から実現可能ではないだろう。
【０００３】
この問題を解決するための１つのやり方は、上記ＨＰＳランプのイグニションパルスを低下させることである。従って、電極間の距離が縮められる及び／又は始動又はイグニションアンテナ（以下、アンテナと言う。）のような点火補助体が用いられ得る。残念なことに、上記電極間の距離を縮めることは、上記ＨＰＳランプの出力及び効率も低下させる。従って、上記アンテナが選択の方法であることが多い。
【０００４】
アンテナに関して、２つの主なタイプ、すなわち、アクティブアンテナ及びパッシブアンテナが従来知られている。上記アクティブアンテナは（例えばリード線等を用いることによって）ＨＰＳランプの電極に電気的に接続され、パッシブアンテナはＨＰＳランプの１つ又はそれ以上の電極に対して電気的に浮いている。
【０００５】
図１Ａに、あるガス圧におけるパッシブ又はアクティブアンテナを用いた従来のＸｅガスランプに関するイグニションパルス値を表したグラフが示されている。グラフ１００Ａを参照すると、４００ワット、１５０トルのアクティブ又はパッシブアンテナを用いたＸｅＨＰＳランプに関するイグニションパルス電圧の箱型図のグラフが示されている。グラフ１００Ａに示されているように、アクティブタイプのアンテナを用いたＨＰＳランプは（より狭い範囲で以て）より小さいイグニションパルスを必要とし、パッシブアンテナを備えた同様のＨＰＳランプは（より広い範囲で以て）より大きいイグニションパルスを必要とする。パッシブアンテナとアクティブアンテナとに関するイグニションパルス値のこの違いは、広い内部ガス（例えばＸｅ）の範囲を通して保たれ、種々のガス（すなわち、Ｘｅ）圧におけるアクティブ又はパッシブアンテナを備えた４００ワットのランプに関するパルスの高さ又は振幅の値を表したグラフ１００Ｂを参照してより良く説明される。
【０００６】
図１Ｂに、パッシブ又はアクティブアンテナを用いた従来のＸｅガスランプに関するイグニションパルス値を表したグラフが示されている。グラフ１００Ｂを参照すると、アクティブアンテナを用いたランプはパッシブアンテナを用いた同様のランプよりも小さいイグニションパルスしか必要としないことが分かる。アクティブアンテナは、典型的にはパッシブアンテナよりも小さいイグニションパルスしか必要としないが、幾つかの不都合を有している。第１に、Jacobs等の「High-Pressure  Sodium  Vapor  Discharge  Lamp」に与えられた米国特許第４，２６０，９２９号公報に示されているように、アクティブアンテナ及び／又は該アンテナの電気的接続部は典型的には発光管と一体的に形成されておらず、従って、コスト及び製造の複雑さを増大させ得る追加の「マウント」部品を要する。上記公報は、参照することにより全部を本明細書に取り込まれたものとする。更に、アクティブアンテナはランプの電極に電気的に接続され、該電極と同じ電位又は電圧であるので、アクティブアンテナの電荷（例えば、負の電荷）は、ランプの壁部を介してランプ内のイオン、例えば正のナトリウムイオンを引き寄せる傾向にあり、これはナトリウムの損失を招く。このナトリウムの移動又は損失は、照明特性に悪影響を及ぼし得る及び／又は早期のランプの不具合を引き起こし得る。
【０００７】
従って、ナトリウムの移動又は損失（並びにコスト及び製造の複雑さ）を低減するために、典型的にはパッシブアンテナが用いられる。よく知られているパッシブアンテナは、欧州特許出願ＥＰ０５９２０４０号公報及び米国特許第５，５４１，４８０号公報に開示されており、これらはそれぞれ参照することにより全部を本明細書に取り込まれたものとする。しかしながら、上述したように、パッシブアンテナは典型的にはより大きいイグニションパルスを必要とし、これは、発光管内におけるガス圧（例えば、キセノン（Ｘｅ）圧）のようなランプの設計のパラメータに依存し、（例えば、より高い電圧に対応するように）従来の器具及び／又は該器具の部品の置換を必要とし得る。このように、パッシブアンテナを備えたより高い圧力の発光管は、「直接装備の（direct-fit）」置換ランプとして適切ではない。従って、向上した照明特性と低いイグニションパルスの定格出力とを有するより高い圧力の（例えば、ＨＰＳ）ランプが必要とされている。
【０００８】
更に、従来のアクティブ及び／又はパッシブアンテナは、典型的には追加の部品（例えば、リード線等）を必要とし、これは製造のコスト及び複雑さを増大させ得る。また、これらの追加の部品はランプの信頼性を低下させ得る。
【０００９】
図１Ｃに、従来の４００ワットＨＰＳランプに関する非常に高いＸｅ圧（種々のＸｅ圧）において達成可能な光子束を表したグラフが示されている。グラフ１００Ｃを参照すると、非常に高いＸｅ圧において達成可能な（園芸の用途に通常用いられる）光子束が示されている。図示されているような４５０ないし５５０トルのＸｅガス圧の場合、光子束の値は、従来の４００ワットＨＰＳランプに関する１．５マイクロモル／ワットに現在制限されている値を上回り得る。
【００１０】
このように、上記ランプのより低いイグニションパルスの要求のため、アクティブアンテナが典型的にはパッシブアンテナよりも好まれる。しかしながら、縮められる寿命と追加されるコスト及び複雑さとのために、新しいタイプのアンテナが望まれている。
【００１１】
従って、最初にガス又は発光管において高いガス（例えば、Ｘｅ）圧を有するＨＰＳランプのようなＨＩＤランプをつける又はそれらを点火するために必要とされるイグニションパルスの大きさを減少させることができるイグニションアンテナが必要とされている。また、低減された製造コスト及び複雑さを伴うアンテナが必要とされている。更に、ＨＰＳランプの信頼性を増大し、ＨＰＳランプを用いるバルブ内において必要なマウント部品数を低減し得るアンテナが必要とされている。
【００１２】
更に、ランプの発光管内においてより高い圧力が用いられ、ＨＰＳランプの照明効率が増大するようにＨＰＳランプをつけるために必要なイグニションパルスの大きさを低減し得るアンテナが必要とされている。加えて、より高い光子束の値もまた得られ、これは、例えば農芸（例えば、アグロ（ＡＧＲＯ））タイプのランプを用いる際に有益である。その結果、「直接装備の」より高圧のＨＰＳランプが、照明器具の部品を変更及び／又は再設計する必要なしに、従来の照明器具の部品と共に用いられ得る。
【発明の概要】
【発明が解決しようとする課題】
【００１３】
本システム、方法、装置及びデバイスの１つの目的は、従来のシステム及びデバイスの不都合を克服することにある。
【課題を解決するための手段】
【００１４】
１つの例示的な形態によれば、放電ランプは、本体内壁部及び本体外壁部と、第１及び第２の端部とを有する本体部を含んでいる。上記本体内壁部は上記第１の端部と上記第２の端部との間に配された空洞部の少なくとも一部を規定する。第１及び第２の末端部は、末端内壁部及び末端外壁部と、上記末端内壁部と上記末端外壁部との間に延在するホール部とを有している。上記第１及び第２の末端部それぞれは、上記空洞部内に少なくとも一部配され、圧力下の気体を維持するように互いに離れている。上記空洞部内には、第１及び第２の電極が含まれている。アンテナは、第１及び第２のアンテナ端部を有し、上記本体部の本体外壁部と上記第１及び第２の末端部の一方の上記末端外壁部とに形成されている。上記アンテナは、上記第１及び第２の電極に直接的に接続されていない。
【００１５】
本システム、方法、装置及びデバイスは、例えばハイブリッドアンテナを用いるＨＰＳランプのようなランプのイグニションパルスを低減させることを可能にする。例示的な形態として本明細書においてはＨＰＳランプが説明されるが、本システム、方法、装置及びデバイスは、ＣＤＭ（セラミック放電メタルハライドランプ）等のような任意の他の放電ランプに等しく適用可能であることを理解されたい。従って、ランプ、例えばＨＰＳランプは、該ＨＰＳランプの照明効率及び光子束の値を高める圧力を用いる一方で、従来の照明器具を用いて、不活性ガス（例えば、Ａｒ，Ｘｅ，Ｎｅ等）で満たされ得る。
【００１６】
本デバイス、システム及び方法の適用性の他の範囲は、本明細書中において与えられる詳細な説明から明らかになるであろう。ＨＰＳランプのような本システム及び方法の例示的な形態を示す際の詳細な説明及び具体的な例は、専ら説明の目的のためのものであり、本発明の範囲を限定するように意図されてはいないことが理解されるべきである。従って、本システム、方法、装置及びデバイスは、任意の他の放電ランプ、例えばＣＤＭランプ等のような非ＨＰＳランプに等しく適用可能である。
本発明の装置、システム及び方法のこれら及びその他の特徴、観点及び利点は、以下の詳細な説明、別記の特許請求の範囲及び添付の図面からより良く理解されるようになるであろう。
【図面の簡単な説明】
【００１７】
【図１Ａ】あるガス圧におけるパッシブ又はアクティブアンテナを用いた従来のＸｅガスランプに関するイグニションパルス電圧値を表したグラフである。
【図１Ｂ】種々のガス圧におけるパッシブ又はアクティブアンテナを用いた従来のＸｅガスランプに関するイグニションパルス電圧値を表したグラフである。
【図１Ｃ】従来の４００ワットＨＰＳランプを用いて非常に高いＸｅ圧において達成可能な光子束を表したグラフである。
【図２】本発明に係る一体型のハイブリッドイグニションアンテナを有するＨＰＳランプの部分分解斜視図である。
【図３】図２に示されているランプの３−３線に沿った部分分解断面図である。
【図４Ａ】図３に示されているランプの二次元の背面図である。
【図４Ｂ】図３に示されているランプの二次元の正面図である。
【図４Ｃ】図２及び図３に示されているランプの二次元の端面図である。
【図４Ｄ】図４Ａに示されているランプの端部の詳細な部分断面図である。
【図４Ｅ】代替のアンテナの詳細な部分断面図である。
【図５】本発明に係る発光管を形成するプロセスに対応する流れ図である。
【図６】本発明に係る発光管を含むランプアセンブリの二次元の側面図である。
【図７】本発明に係る発光管ランプに関する充填圧力（単位はトル）に対するＰＣＡの管壁温度（単位はケルビン）を表すグラフである。
【図８Ａ】導電性のフリットを有する本発明に係るランプの端部の詳細な部分断面図である。
【図８Ｂ】部分的に導電性のフリットを有するランプの端部の詳細な部分断面図である。
【図８Ｃ】図８Ｂに示されているランプの二次元の端面図である。
【図９】本システムに係る一体化されたイグニションアンテナを有するＨＰＳランプの端部の斜視図である。
【図１０Ａ】本システムに係る一体化されたイグニションアンテナを有する成形ＣＤＭランプの斜視図である。
【図１０Ｂ】図１０Ａに示されているランプの詳細な部分断面図である。
【図１１】本システムの一実施の形態に係る７０Ｗのランプの冷却時間に対する絶縁破壊電圧を表すグラフである。
【図１２】本システムの一実施の形態に係る３９Ｗのランプの冷却時間に対する絶縁破壊電圧を表すグラフである。
【図１３】本システムの他の実施の形態に係る一体化されたハイブリッドアンテナを有する例示的なＨＰＳランプの部分分解断面図である。
【図１４】図１３に示されているランプの斜視図である。
【図１５】本システムに係るランプ１３００を形成するプロセスを示している。
【図１６】点火電圧を電極とアンテナとの間の抵抗の関数として表したグラフである。
【図１７】本システムの他の実施の形態に係る一体化されたハイブリッドアンテナを含むランプの端部の詳細な部分断面図である。
【図１８】本システムの更なる実施の形態に係る一体化されたハイブリッドアンテナを含むランプの端部の詳細な部分断面図である。
【図１９】本システムの更に他の実施の形態に係る一体化されたハイブリッドアンテナを含むランプの端部の詳細な部分断面図である。
【図２０】図１７に示されているランプの詳細な断面図である。
【発明を実施するための形態】
【００１８】
以下の幾らかの例示的な実施の形態の説明は、本質的には単に例示的なものであり、本発明、本発明の応用又は使用を決して限定するものではない。本システム及び方法の以下の実施の形態の詳細な説明では、それらの一部を成す添付の図面が参照され、例示のために、説明されるシステム及び方法が実行され得る具体的な実施の形態が示される。これらの実施の形態は、当業者がここに開示されるシステム及び方法を実行できるように十分詳細に説明され、本システムの精神及び範囲から逸脱することなく他の実施の形態が利用され、構造的及び論理的変更がなされ得ることを理解されたい。
【００１９】
従って、以下の詳細な説明は限定的な意味に理解されるべきではなく、本システムの範囲は専ら別記の特許請求の範囲によって定義される。本明細書中における図面の参照符号の主な数字は、複数の図面に現れる同一の構成要素が同じ参照符号により特定されることを除き、典型的には図面番号に対応している。更に、理解し易くする目的のため、明白な特徴の詳細な説明は、本システムの説明を分かりにくくしないように当業者に明らかである場合には論じられない。
【００２０】
１つの実施の形態では、イグニションパルス値と製造のコスト及び複雑さとを低下させ、ランプの予想される寿命を伸ばすように一体化されたハイブリッド（イグニション）アンテナを組み込んだＨＰＳタイプのようなＨＩＤランプが与えられる。図２に、１つの実施の形態に係る一体化されたハイブリッドアンテナを有する例示的なＨＰＳランプ２００の部分分解斜視図が示されている。ランプ２００は、発光管（以下、チューブと言う。）２０２と、ボタン部（又はプラグ）２０４と、アンテナ主部２０６と、１つ又はそれ以上のフィードスルー２０８と、１つ又はそれ以上のフリット２１０（図３）と、アンテナリード線２１２とのうちの１つ又はそれ以上を含んでいる。
【００２１】
チューブ２０２は、多結晶アルミナ（ＰＣＡ）又は他の好適な材料から形成されている。このチューブ２０２は、第１及び第２の端部２２４，２２６をそれぞれ有するとともに、中央部２１４が末端部２１６間に位置する状態で任意的な円筒形状を有している。末端部２１６は、中央部２１４の径よりも大きい径を有している。しかしながら、末端部２１６の１つ又はそれ以上の径が中央部２１４の径よりも小さい又は中央部２１４の径と等しくてもよいことも考えられる。チューブ２０２は、内壁部２２０が主空洞部２２２の少なくとも一部を形成している状態で、外壁部２１８及び内壁部２２０をそれぞれ有している。円筒状のチューブが図示されているが、このチューブは例えば楕円等のような他の形状を有し得ることも考えられる。
【００２２】
図３に示されているように、ボタン部２０４は、内壁部及び外壁部２２７，２２９をそれぞれ有するとともに、内壁部２２７と外壁部２２９との間に延在するボタンホール部２２３（図４Ｄ）をそれぞれ有している。ボタン部２０４は、チューブ２０２の対向する両端部の間に、ガス空洞部２２８がそれらの間に位置するように位置している。ボタン部２０４は、ボタン部２０４の外壁部２２９がチューブ２０２の第１及び第２の端部２２４，２２６それぞれの対応する一方から引っ込んで設けられる（recess）ようにチューブ２０２の空洞部２２２内に配されている。しかしながら、ボタン部２０４の外壁部２２９が、必要に応じて、チューブ２０２の第１及び第２の端部２２４，２２６それぞれと同一平面に合ってもよいこと、及びチューブ２０２の第１及び第２の端部２２４，２２６それぞれの終端を越えてわずかに突き出てもよいことも考えられる。
【００２３】
１つ又はそれ以上のフィードスルー２０８は、第１の／内側端部及び第２の／外側端部２３２，２３４をそれぞれ有しており、第１の／内側端部２３２の近傍に（例えばタングステン（Ｗ）のような適切な材料からなる）任意の電極コイル２３９が位置している。フィードスルー２０８は、２つ又はそれ以上の部品を用いて形成され得る。例えば第１の部品２３６は第１の端部２３２の近傍に位置し、第２の部品２３８は例えば第２の端部２３４の近傍に位置している。第１の部品２３６は例えばタングステンのような材料を含有し（又は当該材料から形成され）、第２の部品２３８は例えばニオブ（Ｎｂ）のような材料を含有して（又は当該材料から形成されて）いる。第１の部品２３６及び第２の部品２３８は、図示されているように互いにくっ付いて（attach）いてもよいし、他の材料を含み得る他の部品を用いて互いに結合されてもよい。例えば、これらの他の部品は、サーメット及び／又はモリブデンを含有し、フィードスルー２０８の上記タングステン領域とニオブ領域との間に位置し得る。発光管２００及びその一部、例えばチューブ２０２及びフィードスルー２０８は、円筒形、矩形等のような任意の所望の形状及び断面を有し得る。
【００２４】
フリット２１０は、フィードスルー２０８を完全に取り囲んでいるか、又はそうでなければその一部を囲んでおり、フィードスルー２０８をホール部２２３の壁面から分離するように少なくとも部分的にボタン部２０４のホール部２２３内に配されている。従って、上記分離のために、アンテナリード線２１２の端部は、フィードスルー２０８に結合（例えば、容量結合及び／又は抵抗結合等）され得る。従って、アンテナ２０６は、対応するフィードスルー２０８の電位に対して浮く電位を有する。上記フリットは、例えばガラスのような任意の好適な絶縁体を用いて構成され得る。フリットは、また、気体がガス空洞部２２８から漏れないように対応するボタン部２０４とフィードスルー２０８との間のシールを形成することができるべきである。同様に、気体がガス空洞部２２８から漏れないようにボタン部２０４とチューブ２０２との間に適切なシールが形成されるべきである。
【００２５】
アンテナ２０６は、チューブ２０２と一体的に形成されており、チューブ２０２の長手部分に沿って延在している。アンテナ２０６は、希望する通りに種々の形状及び大きさを含み得る。例えば、アンテナ２０６は、チューブ２０２を完全に（又は、必要に応じて部分的に）取り囲むエンドリング２３０と、エンドリング２３０の１つに接続されたアンテナリード線２１２とを含んでいる。
【００２６】
アンテナリード線２１２は、チューブ２０２及び対応するボタン部２０４と一体的に形成されており、例えば、アンテナリード線２１２をフィードスルー２０８から分離するフリット２１０を介してアンテナ２０６をフィードスルー２０８に結合することができる。このように、アンテナリード線２１２は、ボタン部２０４とアンテナ２０６のリング部２３０との間に延在する。従って、上述したように、アンテナリード線２１２は、対応するフィードスルー２０８の電圧に対して浮く電圧を有し得る。従って、ナトリウムの引力、及び、従ってチューブ２０２のガス空洞部２２８からのナトリウムの損失を軽減するアンテナ２０６（並びに、アンテナリード線２１２及びリング部２３０のようなその関連部品）もまた浮く。しかしながら、他の実施の形態では、フィードスルー２０８は、図８Ａないし図８Ｃを参照して以下に説明されるようにフィードスルー２０８とアンテナリード線２１２との間に、例えば、１ないし１００オーム又は２５ないし１００オームの抵抗（又は導電率）が存在するようにアンテナリード線２１２に結合されることが考えられる。
【００２７】
図３に、図２の３−３線に沿った上記発光管の部分断面図が示されている。アンテナ２０６は、チューブ２０２にマウントされているか又はチューブ２０２の上に形成されている。ボタン部２０４は、空洞部２２２内に配され、（図示されているように）チューブ２０２の対応する第１又は第２の端部２２４，２２６それぞれからわずかに引っ込んで設けられている。しかしながら、ボタン部２０４は、チューブ２０２の対応する第１又は第２の端部２２４，２２６それぞれと同一平面に合ってもよいこと、又はチューブ２０２の対応する第１又は第２の端部２２４，２２６それぞれから部分的に伸びていてもよいことも考えられる
【００２８】
アンテナリード線２１２は、チューブ２０２の外壁部２１８、第２の端部２２６及び内壁部２２０並びにボタン部２０４の外壁部２２９に沿って、リング部２３０（又はアンテナ２０６）と対応するボタン部２０４のホール部２２３との間に連続的に延在している。しかしながら、チューブ２０２に対するボタン部２０４の位置に依存して、アンテナリード線２１２は、チューブ２０２の外壁部２１８及び第２の端部２２６並びにボタン部２０４の外壁部２２９に沿って連続的に延在してもよい。アンテナリード線２１２が、チューブ２０２の外壁部２１８に沿い、その後、ボタン部２０４の第２の端部２２６に沿って延在し得ることも考えられる。
【００２９】
アンテナリード線２１２は、ボタン部２０４のホール部２２３で終わり、フリット２１０によりフィードスルー２０８から分離されている。従って、フィードスルー２０８の（ニオブ又は他の好適な材料から形成され得る）第２の部品２３８とアンテナリード線２１２の端部２１３（図２、図４Ｄ）との間には間隙が存在する。図２及び図４Ｃないし図４Ｅに示されているような１つの実施の形態では、フィードスルー２０８の第２の部品２３８の径Ｄ１は約３．０ミリメートルであり、ボタン部２０４のホール部２２３の内径Ｄ２は約３．１ミリメートルである。従って、フリット２１０がフィードスルー２０８の第２の部品２３８の少なくとも一部の周りにホール部２２３内において均一に設けられていると仮定すると、アンテナリード線２１２の端部２１３とボタン部２０４のフィードスルー２０８との間に約５０−３０／＋５０ミクロン（すなわち、実質的には２０ないし１００ミクロンの間）の間隙が存在すべきである。アンテナリード線２１２の端部２１３は、ボタン部２０４のホール部２２３内に示されているが、図４Ｅに関連して説明されるように、ボタン部２０４のホール部２２３で又はその近傍で終わることも考えられる。
【００３０】
図４Ａに、図３に示されているランプの二次元の背面図が示されている。図示されているように、アンテナ２０６は、リード線２１２と任意のリング部２３０とを含んでいる。これらの部品の１つ又はそれ以上は、アンテナを形成すると見なされ得る。このアンテナ（又はその部品）は、例えば、実施の形態に依存してタングステン、モリブデン（Ｍｏ）、ニオブ（Ｎｂ）、タンタル（Ｔａ）及びレニウム（Ｒｅ）のうちの１つ又はそれ以上を含有する耐熱性材料のような適切な材料を用いて形成され得る。
【００３１】
図４Ｂに、図３に示されているランプの二次元の正面図が示されている。
【００３２】
図４Ｃには、図２及び図３に示されているランプの二次元の端面図が示されている。フリット２１０は、フィードスルー２０８をボタン部２０４の内壁部２４０（図４Ｄ及び図４Ｅ）及び内壁部２４０上に形成されたアンテナリード線２１２から分離している。アンテナリード線２１２は、ボタン部２０４の内壁部２４０からボタン部の外壁部２２９に沿って半径方向に連続的に延在し、次いで、チューブ２０２の内壁部２２０、第２の端部２２６及び外壁部２１８に沿って延在している。
【００３３】
図４Ｄに、図４Ａに示されているランプの端部の詳細な部分断面図が示されている。上記ホール部に又はホール部内に存在するアンテナの領域は、Ｄ２−Ｄ１の１／２の距離だけフィードスルー２０８から離れている。１つの実施の形態では、アンテナ２１２の端部２１３は、ボタン部２０４のホール部２２３内の任意の場所に配され得る。アンテナ２１２は厚みを有しているように図示されているが、これは単に説明のためである。実際の実現では、上記アンテナは、ボタン部２０４の表面に配され、図示されているようにフリット２１０の厚さに著しく影響を及ぼしはしない。このように、アンテナ２１２は、図４Ｃに示されている所定の距離ＰＤだけフィードスルー２０８から離れている。
【００３４】
図４Ｅには、代替のアンテナ端部の詳細な部分断面図が示されている。発光管４００は、図２ないし図４Ｄに示されている発光管２００と類似している。しかしながら、アンテナ２１２Ａの端部２１３Ａは、ボタン部２０４のホール部２２３に位置し、ボタン部２０４のホール部２２３に大きく入っていない。このように、アンテナ２１２Ａは、所定の距離ＰＤ´だけフィードスルー２０８から離れている。
【００３５】
本発明に係るランプを形成するプロセスがこれから説明される。図５に、本発明に係るランプを形成するプロセスに対応する流れ図が示されている。プロセス５００は、ネットワークを介して通信する１つ又はそれ以上のコンピュータ（図示せず）によって制御され得る。プロセス５００は、以下の工程、行為（act）又は動作の１つ又はそれ以上を含み得る。更に、これらの行為の１つ又はそれ以上は、必要に応じて、組み合わせられ得る及び／又はサブ行為に分離され得る。行為５０２では、例えばアルミナ材料のような材料を用いてチューブが形成される。このチューブは、押出成形、射出成形、鋳込成形等のような任意の適切な方法を用いて形成され得る。行為５０２を終えた後、このプロセスは行為５０４に進む。
【００３６】
行為５０４では、例えば上記チューブが押出成形された後、該チューブの空洞部内にボタン部の１つ又はそれ以上が少なくとも一部挿入され、例えばチューブを焼結することによりチューブにくっ付けられ、シールされる。１つ又はそれ以上のボタン部がチューブに固定された後、このプロセスは行為５０５に進む。行為５０５においては１つ又はそれ以上のボタン部がチューブに固定されるが、他の実施の形態では、ボタン部がチューブと一体的に形成されることも考えられる。更に、１つ又はそれ以上のボタン部が他の方法によってチューブに固定されることも考えられる。例えば、射出成形法及び鋳込成形法が用いられ得る。
【００３７】
行為５０５では、上記アルミナが、行為５０６においてタングステンアンテナ材料の塗布の間、形成された形態が完全性を維持するよう形成されたチューブの形態から有機結合を燃焼する及び／又は材料の密度を高めるように、１２００ないし１４５０℃（又は他の適切な温度）において空気焼成に曝される。行為５０４を終え、チューブが冷却されることを可能にした後、このプロセスは行為５０６に進む。
【００３８】
行為５０６では、任意の適切な方法を用いてチューブにタングステンアンテナ材料が塗布される。例えば、タングステン材料は、例えばタングステン、アルミナ及び／又は有機材料の混合物を含有するペースト（又は、他の好適な流動材料若しくは塗布可能な材料）を含んでいる。このペーストは、任意の適切な方法を用いてチューブの１つ又はそれ以上の面（例えば、内側、外側及び／又は端部）に塗布される。例えば、上記ペーストは、インクジェット印刷技術、圧力塗布器（例えば、シリンジ等）、刷毛を用いる塗布等及び／又はこれらの技術の組み合わせを用いて塗布される。上記ペーストを塗布した後、タングステン材料は、チューブの一方の端部の外側面に沿ってチューブの反対側の端部に位置する内側のホール部まで連続的なラインを形成する。行為５０６を終えた後、行為５０８が行われる。
【００３９】
行為５０８では、上記タングステンのペーストが、例えば５分よりも少ない時間を要する毛管現象により数ミクロンだけチューブの形成されたアルミナ材料の孔部（porosity）に「引き寄せ」られる。行為５０８を終えた後、行為５１０が行われる。
【００４０】
行為５１０では、上記タングステンペーストからの有機物が乾燥され、このプロセスは行為５１２に進む。
【００４１】
行為５１２では、適切な雰囲気及び温度において（ここではチューブアセンブリとみなされる）チューブが焼結処理を受ける。例えば、適切な温度は、タングステン（元はペースト）が（例えば、上記ボタン部とＰＣＡとが出会うような材料又は部品が変化する縁部の間において均一に）長さ方向全体にわたって電気的に連続するラインを形成する場合には、多結晶アルミナ（ＰＣＡ）形状を形成するための適宜の露点を伴って水素下又は真空下において１８００ないし１９５０℃の間である。しかしながら、他の温度も考えられる。上記焼結処理の結果、タングステンは、ＰＣＡの表面に数ミクロンの深さでＰＣＡの表面においてアルミナとかみ合った状態になる。行為５１２を終えた後、このプロセスは行為５１４に進む。
【００４２】
行為５１４では、上記チューブの空洞部内に内部混合物及び適切なバッファガスが配される。上記内部混合物は、例えば、塩、アマルガム等を含有し得る。上記適切なバッファガスは、例えば、アルゴン、キセノン、ネオンのうちの１つ又はそれ以上及び／又はその組み合わせ等のような希ガスを含有し得る。塩、アマルガム等の内部混合物は、ボタンホール部の１つ又はそれ以上を介して空洞部に配され得る。しかしながら、この内部混合物はチューブの開口端部を介してチューブに配され、その後、１つ又はそれ以上のボタン部のうちの（フィードスルーを含む）あるボタン部がチューブに接続されることも考えられる。次いで、このプロセスは行為５１６に進む。
【００４３】
行為５１６では、ＰＣＡアセンブリ／ボタン部の各ホール部に電極アセンブリ（すなわち、フィードスルー）が挿入され、約１１５０ないし１３００℃の温度又は他の適切な温度においてガラスフリットを用いてシールされる。（アンテナが通る対応するホール部の表面に沿って配された）タングステンアンテナリード線２１２の近傍の電極は、タングステンアンテナに接触しない。より正確には、上記電極は、（他の距離も考えられるが）約５０−３０／＋５０ミクロンの間隙だけタングステンから分離される。この間隙は、ガラスフリットを形成するように例えばガラスのような絶縁材料を用いて用いて埋められる。これで、ＰＣＡチューブアセンブリが完成する。これは、「そのままで」用いられるか、又は、図６に示されるようなランプアセンブリ内に組み込まれ得る。幾つかの実施の形態では、上記フリットは、フリットの抵抗又は絶縁性を変化させる、例えば低下させるためにバリウム又は他の導体のような任意の他の所望の材料を含有し得る。
【００４４】
動作中、電極の両端に印加始動電圧が印加されると、電子は、対応する電極からタングステンアンテナまでの５０ないし１００ミクロンの間隙だけジャンプし、その後、反対側の電極に飛ぶ必要があり、パッシブアンテナのみを用いる場合と比較してこのジャンプを引き起こすために必要な電圧を低減する。このように、開始動作の間に電子が電極から電極へ飛ばなければならない距離を最小限にすることにより、より低いイグニションパルスの定格値が得られる。従って、本発明のアンテナは、容量結合された「ハイブリッドタイプの」フローティングアンテナであるとみなされ得る。
【００４５】
図６に、本発明に係るランプを含むランプアセンブリの二次元の側面図が示されている。ランプ６００は、外管６０２、口金６０４、第１及び第２のステムリード線６０６，６４０それぞれ、（ガラス）ステム６３４、ワイヤフレーム６０８、ディンプル６１６、並びに、例えばランプ２００と同様の発光管ランプ６４２（以下、ランプ６４２という。）のような照明源の１つ又はそれ以上を含んでいる。１つの実施の形態では、発光管端部２２６の向きが、ランプのドーム状の端部の方に向いているが、ランプの口金端部の方に向いていてもよい。
【００４６】
外側バルブ６０２は、ガラス又は他の適切な材料から形成され、例えばねじ式口金６０４のような適切な口金に取り付けられている。しかしながら、例えば、ミニカン、２接点バヨネット、ミディアム及びモーグルバイポスト、凹型（recessed）１接点、ピン口金ＰＧ−１２のような他の口金も考えられる。外側バルブ６０２は、ランプ６４２が配される空洞部６２２の少なくとも一部を形成する。
【００４７】
ランプ６４２は、（ＰＣＡ又は他の好適な材料から形成された）発光管６３０と、第１及び第２のフィードスルー６１２，６１０それぞれと、対応するフィードスルーが通るホール部（図示せず）に（例えば、かなり接近して又は内部に）位置する端部を有するハイブリッドアンテナ６１４とを含んでいる。
【００４８】
第１及び第２のステムリード線６４０，６０６それぞれは、例えば任意のタイプの鋼材のような導体材料から形成され得る。第１及び第２のステムリード線６４０，６０６は、第１の端部において口金６４０及び導電性の中心接続部６３８それぞれに結合されている。第２のステムリード線６０６は、また、ランプ６４２のフィードスルー６１２に結合された伸長部（extension）６２６にも結合されている。第１のステムリード線６４０は、末端部６１８を含むワイヤフレーム６０８に結合されている。外側バルブ６０２に対してワイヤフレーム６０８を正確に位置決めするために、例えばディンプル６１６のような位置決め器（locator）が用いられ得る。従って、ワイヤフレーム６０８は、ディンプル６１６の少なくとも一部が配されるホール部（図示せず）を含み得る。しかしながら、位置決め器は、必要に応じてワイヤフレーム６０８の周りに配されてもよい。ワイヤフレーム６０８の末端部６１８は、ランプ６４２の第２のフィードスルー６１０に結合された伸長部６２０に結合されている。
【００４９】
ステム６３４は、空洞部６２２の少なくとも一部を形成し、通過する第１及び第２のステムリード線６４０，６０６それぞれに通路（及び密閉）を与える。中心接続部６３８を金属の口金６０４から絶縁するために、絶縁体６３６が用いられている。
【００５０】
ランプ６４２は、任意の適切な方法により、適所に保持され得る。例えば、フィードスルー６１０，６１２は、ランプ６４２を適所に支える伸長部６２０，６２６にそれぞれ結合され得る。
【００５１】
このように、本システム及び装置によれば、低出力のイグニションパルスを用いて始動され得る、高い圧力で、低コストで、信頼性が高く、容易に点火されるＨＰＳタイプのバルブが提供される。
【００５２】
図７に、本発明に係る発光管ランプに関する例示的な充填圧力に対するＰＣＡチューブの管壁温度を表すグラフが示されている。グラフ７００は、本発明に係る４００ワット発光管ランプの場合の充填圧力の上昇に伴う壁面温度の低下を表している。ガスランプの温度は、例えば管壁の厚さのような多くの要因に依存するので、グラフ７００に示されている温度は、本質的には単に例示的なものである。従って、ある圧力範囲に関する他の温度も考えられるので、本発明は図７に示されているような温度／圧力範囲に限定されるものではない。
【００５３】
図８Ａに、導電性のフリットを有する本発明に係るランプの端部の詳細な部分断面図が示されている。発光管８００Ａは、図２ないし図４Ｄに示されている発光管２００と類似している。しかしながら、フリット８１０は、例えば、バリウム、ジスプロシウム、アルミニウム等のような導電性の材料を含んでおり、従って、所定の抵抗値を有する。そのため、アンテナ２１２Ａは、この所定の抵抗を介してフィードスルー２０８に結合され得る。この所定の抵抗は、例えば１００オームよりも小さい。しかしながら、フリット８１０の抵抗は、１００オームよりも大きくてもよい。
【００５４】
更に他の実施の形態では、上記フリットは、所望の熱膨張係数又は熱膨張を有するように１つ又はそれ以上の材料及び／又は層を含むことが考えられる。例えば、上記熱膨張係数は、フリット及び／又はフィードスルーにより形成される組み合わせの熱膨張が、フィードスルーが通る対応するボタン部のホール部の熱膨張に従う（又は熱膨張に調和する）ように調整され得る。従って、上記フリットの熱膨張を制御することにより、フィードスルー及び／又はフリットにより形成される組み合わせの熱膨張は、ランプの動作中及び／又はランプがオフになっている場合に、上記ホール部の熱膨張と密接に調和する。これは、ランプの構成要素間における応力を低減し得る及び／又は発光管８００Ａ内部のガスの密閉を強化する。
【００５５】
図８Ｂに、部分的に導電性のフリットを有するランプの端部の詳細な部分断面図が示されている。発光管８００Ｂは、図２ないし図４Ｄ及び図８Ａに示されている発光管２００と類似している。しかしながら、フリット８１１は、導電部８１１Ｃと、１つ又はそれ以上の絶縁部８１１Ｉとを含んでいる。導電部８１１Ｃは、例えば、バリウム、ジスプロシウム、アルミニウム等のような導電性の材料を含有し、従って、所定の抵抗値及び／又は熱膨張係数を有する。フリット８１１の導電部８１１Ｃの抵抗が所定の値（例えば１０オームであるが、他の値も考えられる。）よりも大きい（又は、所定の値に等しい）と、フリット８１１は、アンテナ２１２Ａとフィードスルー２０８との間に絶縁層を設けるために絶縁部８１１Ｉを含み得る。１つ又はそれ以上の絶縁部８１１Ｉは、例えば、所望の絶縁特性及び／又は熱膨張係数を有する材料（例えば、ガラス、セラミック等）を含んでいる。このように、フリット８１１（又はその要素）は、所定の抵抗部と絶縁部とを含んでいる。従って、アンテナリード線２１２Ａは、フリット８１１を介してフィードスルー２０８に結合され得る。また、フリット８１１は、上記アンテナをフィードスルーに結合するキャパシタの少なくとも一部を形成し得る。
【００５６】
図８Ｃには、図８Ｂに示されているランプの二次元の端面図が示されている。絶縁層８１１Ｃは、アンテナリード線８１２Ａとフィードスルー２０８との間に位置している。絶縁部８１１Ｉは、ボタンホール部２２３の内壁に隣接して図示されているが、フィードスルー２０８に隣接する又はフリットの導電部間にはさまれることも考えられる。同様に、上記フリットの導電部は、フリットの絶縁部間に位置し得る。
【００５７】
図８Ａないし図８Ｃにはアンテナ２１２Ａが示されているが、図４Ｄに示されているような端部を有するアンテナ２１２も用いられ得る。
【００５８】
本システム及びデバイスの更なる特徴は、ＨＰＳタイプのランプの発光効率及び光子束値を高め、図７に示されているようにＰＣＡ発光管の動作壁面温度を下げるようにより高いガス（例えば、Ｘｅ）圧で満たされたＨＰＳタイプのランプを提供することであり、従来の照明器具の構成要素を用いる一方で寿命を延ばす。このように、例えば温室のような商業的環境における従来のランプが、高められた照明レベルを提供し、それにより植物の成長性及び効率の向上を増大するために容易に最新のものにされ得る。
【００５９】
図９は、本システムに係る一体化されたイグニションアンテナを有するＨＰＳランプの端部の斜視図である。ランプ９００は、発光管９０２と、１つ又はそれ以上のボタン部９０４と、アンテナ９０６と、１つ又はそれ以上のフィードスルー９０８と、１つ又はそれ以上のシール部９１０と、アンテナリード線９１２とのうちの１つ又はそれ以上を含んでいる。発光管９０２は、１つ又はそれ以上の端部９２６を有するとともに、外壁部及び内壁部９１８，２２０それぞれを規定する任意的な円筒形状を有している。ＨＰＳランプ９００は、図２に示されているＨＰＳランプと類似しているが、アンテナリード線９１２が１つ又はそれ以上のフィードスルー９０８の１つで終わり、それに結合された端部９１２Ｂを有しているという違いを有している。アンテナリード線９１２は、例えば、タングステン（Ｗ）、アンチモンスズ酸化物（ＡＴＯ）等のような任意の適切な材料から形成されており、発光管９０２の端部９２６の１つ又はそれ以上、１つ又はそれ以上のボタン部９０４の１つ及び／又はシール部９２０上に形成されている及び／又はそれらにわたっている。シール部９１０は、本明細書の他の箇所において説明されているような任意の適切なフリット材料を含んでいる。アンテナ９０６は、アンテナ２０６と類似しており、１つ又はそれ以上のリング部９０６Ｒ及び／又は主部９０６Ｍを含んでいる。アンテナ２０６は、アンテナリード線２１２及び／又は例えばアンテナリング部２０６Ｒのような成形された要素を含んでいる。
【００６０】
図１０Ａは、本システムに係る一体化されたイグニションアンテナを有する成形ＣＤＭランプの斜視図である。ランプ１０００は、発光管１００２と、１つ又はそれ以上のボタン部と、アンテナ１００６と、１つ又はそれ以上のフィードスルー１００８と、１つ又はそれ以上のシール部１０１０とのうちの１つ又はそれ以上を含んでいる。発光管１００２は、１つ又はそれ以上の端部１０２６と、ネック部１００３間に位置する任意の形状の中央部１００１とを有している。アンテナ１００６は、アンテナ１００６と一体的に形成されたアンテナリード線１０１２を含んでいる。アンテナリード線１０１２は、シール部１０１０の１つの面に置かれ、この面にわたっており、アンテナ１００６をフィードスルー１００８の１つ又はそれ以上に結合している。
【００６１】
図１０Ｂは、図１０Ａに示されているランプの詳細な部分断面図である。アンテナリード線１０１２は、発光管１００２上に形成され、シール部１０１０にわたっており、フィードスルー１００８に結合されている。従って、アンテナ１００６は、アンテナリード線１０１２を介してフィードスルー１００８に結合され得る。フィードスルー１００８は、本明細書において説明されるような幾つかの部品を含んでいる。また、シール部１０１０のそれぞれは、フィードスルー１００８が通る開口部内に少なくとも一部が配されたガラスフリットを含んでいる。主空洞部１０２２は、内部混合物及び適切なバッファガスで満たされている。上記内部混合物は、例えば、塩、アマルガム等を含有している。上記適切なバッファガスは、例えば、アルゴン、キセノン、ネオンのうちの１つ又はそれ以上及び／又はその組み合わせのような希ガスを含有し得る。
【００６２】
本システムの利点は、本システムに係るランプを動作させる際に生じる高い動作温度に耐えることができるアンテナリード線及び／又はアンテナを含んでいる。また、予め設定された実施の形態は、フィードスルーをアンテナに結合するために例えばワイヤ等のような素子が必要ではないように、ランプとほぼ又は完全に一体化されたアクティブアンテナを提供する。更に、上記アンテナリード線は、フィードスルーに直接的に結合され得る導電性のコーティング部を含み得る。
【００６３】
本システムの一観点によれば、アンテナリード線は様々な時に形成され得る。例えば、アンテナリード線は、第２の封止（sealing）プロセスが行われた後、例えば、浸漬、噴霧、分注（dispensing）等によりランプの任意の所望の部分に材料を堆積した導電性のコーティングを用いて形成される。上記アンテナリード線は、アンテナの主部及び／又はリング部と一体的に形成され得る。また、上記アンテナの主部及び／又はリング部は従来の方法を用いて形成され、アンテナリード線は導電性のコーティングを用いて形成され得る。従って、アンテナリード線は、本システムに係るアンテナを電極に電気的に接続し得る。上記アンテナ及び／又はアンテナリード線は、約１０００℃ないし８００℃において安定な温度である適切な導電性材料から形成され得る。適切な材料は、例えば、ＡＴＯ（アンチモンスズ酸化物）、ＩＴＯ（インジウムスズ酸化物）、ＦＴＯ（フッ素スズ酸化物）等のような例えば金属コーティング及び／又は透明な導電性コーティングを含んでいる。適切なコーティングは、バルブの耐用年数にわたって安定な温度であるコーティングを含んでいる。
【００６４】
ホット−再点灯電圧を低下させるために、例えばランプ６００のようなランプは、内部にランプ６４２が配される空洞部６２２内に外側ガス充填物を含んでいる。ランプ６４２は、本明細書の他の箇所において説明されているようなランプを含んでいる。上記外側ガス充填物は、例えば、空気、窒素（Ｎ）、キセノン（Ｘｅ）、アルゴン（Ａｒ）、窒素（Ｎ）、クリプトン（Ｋｒ）及び／又はその組み合わせのような適切な気体を含んでいる。好適な圧力は、概ね５０ないし２０００ミリバールの範囲内の圧力を含む。例えば、外側ガス充填物は、ほぼ２００ミリバールと１バールとの間である圧力範囲を有する。しかしながら、他の範囲も考えられる。本システムに係るアンテナ及び充填材を用いる場合、ホットリストライク電圧は、従来のランプと比較して約２５％低下し得る。
【００６５】
図１１に、本システムの一実施の形態に係る７０Ｗの（ＣＤＭ）ランプの冷却時間に対する絶縁破壊電圧を表すグラフが示されている。グラフ１１００に示されているように、例えば、１バールで窒素を含む外側ガス充填物を有する７０Ｗのランプは、１バールの圧力下において窒素ガスではなく真空を用いる同様の７０Ｗのランプよりも低い絶縁破壊電圧を有する。上記ランプは、ランプ６００と同様であり、例えば空洞部６２２のような空洞部内に配されている。
【００６６】
図１２には、本システムの一実施の形態に係る３９Ｗのランプの冷却時間に対する絶縁破壊電圧を表すグラフが示されている。グラフ１２００に示されているように、例えば、１バールで窒素を含む外側ガス充填物を有する３９Ｗのランプは、１バールの圧力下において窒素ガスではなく真空を用いる同様の３９Ｗのランプよりも低い絶縁破壊電圧を有する。
【００６７】
図１３に、本システムの他の実施の形態に係る一体化されたハイブリッドアンテナを有する例示的なＨＰＳランプの部分分解断面図が示されている。ランプ１３００は、発光管、例えばＰＣＡチューブ（以下、チューブという。）１３０２と、エンドキャップ１３０４と、アンテナ１３０６と、１つ又はそれ以上のフィードスルー１３０８とのうちの１つ又はそれ以上を含んでいる。
【００６８】
チューブ１３０２は、多結晶アルミナ（ＰＣＡ）又は他の適切な材料から形成されている。このチューブ１３０２は、第１及び第２の端部１３２４，１３２６それぞれを有するとともに、末端部１３１６間に位置する中央部１３１４を持つ任意的な円筒形状を有している。末端部１３１６は、中央部１３１４の径よりも大きい径を有している。しかしながら、末端部１３１６の１つ又はそれ以上の径が中央部１３１４の径よりも小さい又は中央部１３１４の径と等しくてもよいことも考えられる。チューブ１３０２は、内壁部１３２０が主空洞部１３２２の少なくとも一部を規定する状態で、外壁部及び内壁部１３１８、１３２０をそれぞれ有している。円筒状のチューブ１３０２が示されているが、チューブは例えば楕円形、球状等のような他の形状を有し得ることも考えられる。また、チューブ１３０２の断面は、円形の断面であるが、他の形状を有し得る。
【００６９】
チューブ１３０２は、該チューブ１３０２の第１及び第２の端部１３２４、１３２６それぞれにおいて１つ又はそれ以上のサーメット層１３９０（例えば、Ｍｏ−Ａｌ２Ｏ３及び／又はＷ−Ａｌ２Ｏ３が用いられ得る例である。）及び／又は１つ又はそれ以上の真鍮層１３９２を任意に有している。真鍮層１３９２は、現時点では隣接するサーメット層１３９０上に堆積され及び／又はサーメット層１３９０にくっ付けられ得る。１つ又はそれ以上のサーメット層１３９０及び／又は１つ又はそれ以上の真鍮層１３９２は、例えば、ＩｒＴａ、ＩｒＮｂ、ＲｈＴａ、ＲｈＮｂ、ＰｔＴａ、ＰｔＮｂ、ＰｄＴａ、ＰｄＮｂのうちの少なくとも１つ等のような導電性である。
【００７０】
エンドキャップ１３０４は、内壁部及び外壁部１３２７、１３２９それぞれと、内壁部１３２７と外壁部１３２９との間に延在するボタンホール部１３２３とを有している。エンドキャップ１３０４は、チューブ１３０２の対向する両端部の間に、ガス空洞部１３２８がそれらの間に位置するように位置している。エンドキャップ１３０４は、必要に応じて、チューブ１３０２の末端部１３１６の外周部と同一平面にある外周部を有するか、又は、チューブ１３０２の末端部１３１６の外周部を超えてわずかに突き出る。エンドキャップ１３０４は、フィードスルー１３０８のうちの隣接するフィードスルー１３０８に結合され得る任意の適切な導電材料から形成されている。更に、エンドキャップ１３０４の１つ又はそれ以上は、真鍮層１３９２のうちの隣接する真鍮層１３９２に結合されている。
【００７１】
１つ又はそれ以上のフィードスルー１３０８は、第１の／内側端部及び第２の／外側端部１３３２，１３３４をそれぞれ含んでおり、フィードスルー１３０８の第１の／内側端部１３３２及び／又は所望の位置で対応するフィードスルー１３０８を保持するのに好適であるような形状及びサイズのフランジ１３９６に近接して（例えばタングステン（Ｗ）のような適切な材料からなる）任意の電極コイル２３９が位置している。フィードスルー１３０８のそれぞれは、ガス空洞部１３２８の内部に含まれるガスが漏れないように該フィードスルーとエンドキャップとの間にシールを形成するため、任意の適切な方法を用いて対応するエンドキャップ１３０４にくっ付けられている。好適なシール方法は、例えば、溶接（レーザで形成される溶接等）等を含んでいる。レーザ溶接部は、対応するフィードスルー１３０８の例えばフランジ１３９６の外周部の周囲に延在している。同様に、気体が主空洞部１３２２から漏れないように１つ又はそれ以上のエンドキャップ１３０４とチューブ１３０２との間に好適なシールが形成されるべきである。従って、１つ又はそれ以上のエンドキャップ１３０４は、例えば気体不透過性シールを使用して隣接する真鍮層１３９２にシールされ得る。例えばガラスフリットのようなフリットが、１つ又はそれ以上のフィードスルー１３０８（例えば、Ｎｂ及び／又はＭｏ）と隣接するエンドキャップ１３０４（例えば、Ｎｂ及び／又はＭｏ）との間に配されることも考えられる。
【００７２】
フィードスルー１３０８の１つ又はそれ以上は、２つ又はそれ以上の部品を用いて形成され得る。例えば、第１の部品は第１の端部１３３２の近傍に位置し、第２の部品は例えば第２の端部１３３４の近傍に位置する。上記第１の部品は例えばタングステンのような材料を含有し（又はから形成され）、上記第２の部品は例えばニオブ（Ｎｂ）のような材料を含有している（又はから形成されている）。上記第１の部品及び第２の部品は、互いにくっ付いているか又は他の材料を含有する他の部品を用いて互いに結合されている。例えば、これらの他の部品は、サーメット及び／又はモリブデンを含み、上記フィードスルーのタングステン領域とニオブ領域との間に位置する。発光管１３００及びその一部、例えばチューブ１３０２及びフィードスルー１３０８の１つ又はそれ以上は、円筒形、矩形等のような任意の所望の形状及び断面を有し得る。
【００７３】
アンテナ１３０６は、チューブ１３０２の長手方向の部分に沿って延在している。アンテナ１３０６は、希望する通りの種々の形状及び大きさを含み得る。例えば、アンテナ１３０６は、チューブ１３０２を完全に（又は、必要に応じて部分的に）取り囲むエンドリングと、該エンドリングの１つ及び／又はサーメット若しくは真鍮層１３９０，１３９２それぞれに結合されたアンテナリード線とを含んでいる。
【００７４】
上記アンテナリード線は、アンテナ１３０６を隣接するエンドキャップ１３０４に結合する。従って、上記アンテナリード線の端部１３０６Ｅは、隣接するエンドキャップ１３０４まで延在するか、又はサーメット及び／又は真鍮層１３９０，１３９２それぞれの１つ又はそれ以上まで延在する。
【００７５】
空洞部１３２２の内部は、内部混合物及び適切なバッファガスで満たされている。上記内部混合物は、例えば、塩、アマルガム等を含有している。上記適切なバッファガスは、概ね５０トルと７２０トルとの間の圧力において、例えば、アルゴン、キセノン、ネオンのうちの１つ又はそれ以上及び／又はその組み合わせのような希ガスを含有している。
【００７６】
図１４は、図１３に示されているランプの斜視図である。チューブ１３０２及び１つ又はそれ以上のフィードスルー１３０８は、円筒形、矩形等のような任意の所望の形状及び断面を有し得る。
【００７７】
図１３ないし図１４のランプを形成するプロセスがこれから説明される。図１５に、本システムに係るランプ１３００を形成するプロセスが示されている。プロセス１５００は、ネットワークを介して通信する１つ又はそれ以上のコンピュータ（図示せず）によって制御され得る。プロセス１５００は、以下の工程、行為又は動作の１つ又はそれ以上を含んでいる。更に、これらの行為の１つ又はそれ以上は、必要に応じて、組み合わせられ得る及び／又はサブ行為に分離され得る。
【００７８】
行為１５０１では、例えばアルミナ材料のような材料を用いてチューブ１５０２が形成される。チューブ１５０２は、例えば、押出成形、射出成形、鋳込成形等のような任意の適切な方法を用いて形成される。「茶色の」ＰＣＡの上にサーメットを堆積することによりサーメット層１５９０が形成される。行為１５０１を終えた後、このプロセスは行為１５０３に進む。
【００７９】
行為１５０３では、アルミナが、行為１５０７においてタングステンアンテナ材料の塗布の間、形成された形態が完全性を維持するよう形成されたチューブの形態から有機結合を燃焼する及び／又は材料の密度を高めるように、１２００ないし１４５０℃（又は他の適切な温度）において空気焼成に曝される。チューブ１５０２を焼成し終えた後、サーメット層１５９０は高く導電性の状態にある。行為１５０３を終え、チューブが冷却されることを可能にした後、このプロセスは行為１５０７に進む。
【００８０】
行為１５０７では、タングステンのすそ（trail）がサーメット層１５９０まで延在し、サーメット層１５９０と接触するようにチューブ１５０２の外側部に沿ってタングステンの流れを塗布することにより、アンテナ１５０６又はその部品（例えば、アンテナリード線）が形成される。アンテナ１５０６は、例えばＡｌ２Ｏ３及びＷのような混合物を「茶色の」ＰＣＡチューブ上に堆積することにより形成される。その後、焼成することにより、Ｗは金属性を帯びる。この行為は、プロセス５００の行為５０６と類似している。アンテナ１５０６は、サーメット層１５９０と同一の又は同類の材料を用いて製造され得ることも考えられる。行為１５０７を終えた後、このプロセスは行為１５０９に進む。
【００８１】
行為１５０９では、上記タングステンのペーストからの有機物が乾燥され、このプロセスは行為１５１１に進む。
【００８２】
行為１５１１では、上記チューブがプロセス５００の行為５１４において説明されたような焼結処理を受ける。行為１５１１を終えた後、このプロセスは行為１５１３に進む。
【００８３】
行為１５１３では、サーメット層１５９０の上に真鍮層１５９２が配される及び／又は堆積される。次いで、このプロセスは行為１５１５に進む。
【００８４】
行為１５１５では、真鍮層１５９２の上にエンドキャップ１５０４が配される。このエンドキャップは、好ましくは金属又は他の好適な導電性材料から作られる。行為１５１５を終えた後、このプロセスは行為１５１７に進む。
【００８５】
行為１５１７では、任意の適切な方法を用いて真鍮層１５９２を溶融することによりエンドキャップ１５０４がチューブ１５０２に接着される。例えば、チューブ１５０２、サーメット層１５９０、真鍮層１５９２及び／又はエンドキャップ１５０４により形成されたアセンブリが、真鍮層１５９２を溶融するのに十分である等温炉からの熱に曝される。その後、上記アセンブリが冷却されると、接着が実現され、エンドキャップ１５０４はチューブ１５０２に固定して接着された状態である。行為１５１７を終えた後、このプロセスは行為１５１９に進む。
【００８６】
行為１５１９では、チューブ１５０２の空洞部内に内部混合物と適切なバッファガスとが配される。上記内部混合物は、例えば、塩、アマルガム等を含有する。上記適切なバッファガスは、例えば、アルゴン（Ａｒ）、キセノン（Ｘｅ）、ネオン（Ｎｅ）のうちの１つ又はそれ以上及び／又はその組み合わせ等のような希ガスを含有する。塩、アマルガム等の上記内部混合物は、エンドキャップ１５０４の１つ又はそれ以上における１つ又はそれ以上のホール部１５０４Ｈを介して上記空洞部に配される。しかしながら、上記内部混合物は、チューブの開口端部を介してチューブ内に配され、その後、任意の適切な方法を用いて（フィードスルーを含む）末端部がチューブに接続されることも考えられる。次いで、このプロセスは行為１５２１に進む。
【００８７】
行為１５２１では、電極アセンブリ（すなわち、フィードスルー）１５０８が、エンドキャップ１５０４の各ホール部に挿入され、空洞部内において所望の圧力が維持されるように例えばレーザ溶接のような任意の適切な方法を用いて対応するエンドキャップに対してシールされる。電極アセンブリ１５０８は、このとき、エンドキャップ１５０４、対応する真鍮層１５９２及びタングステンのアンテナリード線に隣接するサーメット層１５９０の１つ又はそれ以上を介してアンテナ１５０６に電気的に結合される。上記ランプアセンブリは、これで完成し、「そのままで」用いられるか、又は、図６に示されているようなランプアセンブリ内に組み込まれ得る。
【００８８】
図１６に、点火電圧を電極とアンテナとの間の抵抗の関数として表したグラフが示されている（ひし形が測定点である）。電極とアンテナとの間の抵抗は、例えば、任意のフリットの導電率、電極とアンテナとの距離（例えば、図８Ａに示されているフリット８１０の厚さ及び／又はアンテナ２１２Ａの端部２１３Ａとフィードスルー２０８との距離）等のような１つ又はそれ以上の変数に依存する。これらの変数を変化させることにより、上記抵抗が例えば１０キロオームから１０００キロオームに増大すると、上記アンテナはアクティブアンテナからパッシブアンテナになる。本システムに係るアンテナを組み込んだバルブは、アクティブアンテナではなくパッシブアンテナを用いる際、より高い点火電圧を必要とする。
【００８９】
例えば本システムに係るランプのアンテナとＮｂのフィードスルーとの間のインピーダンスＺは、抵抗Ｒ及びキャパシタンスＣに依存し、例えば下記の式１を用いて決定される。
Ｚ＝Ｒ＋１／（ｊ・２π・ｆ・Ｃ）・・・Ｅｑ．（１）
ここで、ｆは上記ランプに与えられる点火波形の周波数を表している。従って、例えばＨＰＳタイプのランプのような放電ランプでは、アンテナと電極との間の抵抗（及び、従って導電率）は、例えば、フリットの厚さ、フリットの特性、ランプに点火波形を与えるイグナイタの周波数のような１つ又はそれ以上のファクタにより決定され得る。これは、アンテナがアクティブであるかパッシブであるかを、及び、従って絶縁破壊電圧の高さを決定する。そのため、上記アンテナが電極と直接的に接触している（及び、従ってアクティブアンテナである）と、上記絶縁破壊は低い。上記アンテナが例えばフリット材料のために電極と直接的に接触していない場合は、フリット材料の厚さ及び導電率が、アンテナがアクティブであるかパッシブであるかを決定する。
【００９０】
本システムによれば、本システムの一実施の形態に係るランプは、例えば、ＨＦイグナイタにより与えられ得る２５キロヘルツと６００キロヘルツとの間である周波数を有する高周波（ＨＦ）点火波形で動作することが考えられる。しかしながら、本システムに係るランプは、より高い又はより低い周波数を有する点火波形で動作し得ることも考えられる。
【００９１】
本システムの更に他の実施の形態によれば、ＨＰＳランプであろうと非ＨＰＳランプであろうと任意の放電ランプのようなランプは、フィードスルーの周りにシール部を設けたチューブを含んでいる。従って、ランプは、フリット及び／又はボタン部の１つ又はそれ以上（例えば、図３のボタン部又はプラグ２０４及び１つ又はそれ以上のフリット２１０を参照されたい。）を伴うことなく製造され得る。このように、上記ランプのチューブ（例えば、ＰＣＡ）の末端部は、該チューブの空洞部内に入れられた気体を封じ込めるように隣接するフィードスルーの周りにシールされ得る。従って、上記フィードスルーは、チューブの一部及び／又は隣接するアンテナリード線と接触している（パッシブアンテナが用いられるかアクティブアンテナが用いられるかに依存する。）。この実施の形態に係るランプが、図１７ないし図２０を参照してこれから説明される。
【００９２】
図１７に、本システムの他の実施の形態に係る一体化されたハイブリッドアンテナを含むランプ１７００の端部の詳細な部分断面図が示されており、ランプ１７００の両端部は図２０にランプ１７００´として示されている。
【００９３】
ランプ１７００は、チューブ１７０２と、アンテナ１７１２と、１つ又はそれ以上のフィードスルー１７０８とのうちの１つ又はそれ以上を含んでいる。
【００９４】
チューブ１７０２は、例えばＰＣＡのような任意の適切な材料を含有しており、それぞれが対応するフィードスルー１７０８が位置する開口部（又はホール部）１７２３を規定する１つ又はそれ以上の成形端部１７２６を含んでいる。チューブ１７０２は、照明を与えるのに好適な所望の充填材を含有するガス又は放電空洞部１７２８を含んでいる。また、上記充填材は、塩、アマルガム、及び例えばバッファガスのような気体のうちの１つ又はそれ以上を含んでいる。上記気体は、例えば、アルゴン（Ａｒ）、キセノン（Ｘｅ）、ネオン（Ｎｅ）及び／又はそれらの組み合わせのような任意の適切な気体又は気体の混合物を含んでいる。チューブ１７０２は、上記充填材がガス空洞部１７２８から漏れないように対応するフィードスルー１７０８の周りにシールを形成している。
【００９５】
１つ又はそれ以上のフィードスルー１７０８は、ガス空洞部１７２８内に位置する（例えば、タングステン等の）任意の電極コイル１７３９を含んでいる。１つ又はそれ以上のフィードスルー１７０８は、任意の適切な（単数又は複数の）材料から構成されており、本明細書の他の箇所において説明されているフィードスルーと同様である（例えば、図２のフィードスルー２０８等を参照されたい。）。従って、理解しやすいように、１つ又はそれ以上のフィードスルー１７０８のこれ以上の説明は与えられない。
【００９６】
アンテナ１７１２は、アクティブアンテナを与えるように１つ又はそれ以上のフィードスルー１７０８のうちの１つに電気的に結合される端部１７１３を含んでいる。従って、アンテナ１７１２の端部１７１３は、電気的な接続が確立されるように隣接するフィードスルー１７０８に又は隣接するフィードスルー１７０８上に位置している。アンテナ１７１２は、任意の適切な形状及び／又は大きさを有し得る。また、アンテナ１７１２は、（例えば、タングステン等の）任意の適切な材料から形成されており、本明細書の他の箇所において説明されているようにチューブ１７０２上に位置している。従って、アンテナ１７１２のこれ以上の説明は与えられない。アンテナ１７１２は、任意の適切な長さにわたって延在している。例えば、アンテナ１７１２は、伸長した（extended）プラグ（図２のプラグ２０４を参照されたい。）にわたっている。アンテナ１７１２は、チューブ１７０２を焼結する前にチューブ１７０２（例えば、ＰＣＡ）に堆積された例えばタングステンのような導電性の材料から形成される。しかしながら、アンテナ（又はその部品）は、チューブが焼結された後でチューブ１７０２に堆積されることも考えられる。アンテナ１７１２は、チューブ１７０２の本体外壁部の少なくとも一部を取り囲む１つ又はそれ以上のリング部を含んでいる。
【００９７】
他の実施の形態では、１つ又はそれ以上のフィードスルー１７０８のうちの隣接する１つにアンテナ端部１７１３を受動的に結合することによりパッシブアンテナが与えられることが考えられる。例えば、アンテナ１７１２の端部１７１３を隣接するフィードスルー１７０８から離れて配置することにより受動的な（間接的な）結合が得られる。また、アンテナ端部１７１３は、任意の適切な形状を形成している。例えば、アンテナ端部１７１３は、（アクティブアンテナが与えられるかパッシブアンテナが与えられるかに依存して、電気的な接触を伴って又は伴うことなく）１つ又はそれ以上のフィードスルー１７０８のうちの隣接する１つの周りにリング部を形成するように延在する。アンテナ端部１７１３が、フィードスルー１７０８を完全に又は部分的に取り囲むようにチューブ１７０２の端部に及び／又はホール部又は開口部１７２３に形成されることも考えられる。１つ又はそれ以上のフィードスルー１７０８のうちの隣接する１つにアンテナ１７１２（又はその一部）を電気的に接続するように導電性の材料が堆積されることも考えられる。
【００９８】
図１８に、本システムの更なる実施の形態に係る一体化されたハイブリッドアンテナを含むランプ１８００の端部の詳細な部分断面図が示されている。ランプ１８００は、チューブ１８０２と、アンテナ１８１２と、１つ又はそれ以上のフィードスルー１８０８とのうちの１つ又はそれ以上を含んでいる。このランプ１８００は、（図１７に示されている）ランプ１７００と類似しているが、アンテナ１８１２の端部１８１３が、１つ又はそれ以上のフィードスルー１８０８のうちの隣接するフィードスルー１８０８にアンテナ１８１２を電気的に結合するようにチューブ１８０２の開口部（又はホール部）１８２３に入り込んで延在している。更に、アンテナ１８１２の端部１８１３は、１つ又はそれ以上のフィードスルー１８０８のうちの隣接する１つにアンテナ１８１２を電気的に接続するように図１８のアンテナ端部１８１３により与えられるよりも大きい表面積を有するパッドを含んでいる。アンテナ１８１２の端部１８１３がフィードスルー１８０８を取り囲むことも考えられる。
【００９９】
図１９には、本システムの更に他の実施の形態に係る一体化されたハイブリッドアンテナを含むランプ１９００の端部の詳細な部分断面図が示されている。ランプ１９００は、チューブ１９０２と、アンテナ１９１２と、１つ又はそれ以上のフィードスルー１９０８とのうちの１つ又はそれ以上を含んでいる。このランプ１９００は、（図１８に示されている）ランプ１８００と類似しているが、焼結後、チューブ１９０２とフィードスルー１９０８又はフィードスルー１９０８の一部との間に末端開口部１９２７が形成され、フィードスルー１９０８は（チューブ１９０２の）チューブ開口部１９２３を介して配される。このケースでは、末端開口部１９２７は、電極１９３９又はフィードスルー１９０８とアンテナ１９１２との間の接続を妨げる。そのため、フィードスルー１９０８とアンテナ１９１２との間に接続を与えるために、焼結後、ＰＣＡチューブ１９０２とフィードスルー１９０８との間に導電性のコーティング部１９２９、例えば（タングステン及び／又は同様のものよりなる）金属コーティング部が設けられる。従って、図１９に示されているように、アンテナ１９１２の端部１９１３は、チューブ１９０２のチューブ開口部（又はホール部）１９２３に入り込んで延在している。導電性の材料（例えば、タングステン）１９２９及び／又はアンテナ１９１２の少なくとも一部は、１つ又はそれ以上のフィードスルー１９０８のうちの隣接するフィードスルー１９０８にアンテナ１９１２を電気的に結合するように（ＰＣＡチューブ１９０２をフィードスルー１９０８から分離する）末端開口部１９２７の少なくとも一部に配される。アンテナ１９１２の端部１９１３は、１つ又はそれ以上のフィードスルー１９０８のうちの隣接する１つを完全に又は部分的に取り囲み得る、及び／又は、チューブ１９０２の開口部１９２３の他の部分に延在し得る。導電性材料１９２９は、アンテナ１９１２と１つ又はそれ以上のフィードスルー１９０８のうちの隣接する一つとの間に位置し得る。更に、アンテナ１９１２の端部１９１３は、アンテナ１９１２に電気的に接続するための図１７のアンテナ１７１２の端部１７１３により与えられるよりも大きい表面積を有するパッドを与える。
【０１００】
図１０に示されているランプの詳細な断面図が図１３に示されている。アンテナ１０１２は、１つ又はそれ以上のフィードスルー１００８のうちのあるフィードスルーに結合され得る。
【０１０１】
本システム及びデバイスの更なる特徴は、ＨＰＳタイプのランプの発光効率及び光子束の値を高め、図７に示されているように、ＰＣＡ発光管の動作壁面温度を下げるようにより高いガス（例えば、Ｘｅ）圧で満たされ、寿命を延ばす一方で、従来の照明器具の構成要素を用いるＨＰＳタイプのランプを提供することである。従って、例えば、温室のような商業的環境における従来のランプが、高められた照明レベルを提供し、それにより植物の成長性及び効率の向上を増大するために、容易に最新のものにされ得る。
【０１０２】
本発明の確かな追加の利点及び特徴は、この開示を検討中の当業者には明らかであり、本発明の新規のシステム及び方法を使用する者により経験され得る。その主なものは、従来の器具の構成要素を用いて動作され得るより信頼性の高い、容易に始動されるＨＰＳ／ＣＤＭランプ又は同様のものが提供されることである。本システム及びデバイスの他の利点は、本システム及びデバイスの特徴及び利点を取り入れるために従来のランプが容易に改良され得ることである。
【０１０３】
例えば、本システムに係るアンテナを用いることにより、点火電圧が低下する。加えて、本システムに係る一体化されたアンテナを用いることにより、小型のランプが実現される。更に、例えば、点火電圧を変化させることなく本システムに係るＨＰＳランプ内部におけるキセノン（Ｘｅ）圧を上昇させることにより、ランプの性能が高められる。
【０１０４】
勿論、上述した実施の形態又はプロセスの任意の１つが、１つ又はそれ以上の他の実施の形態及び／又はプロセスと組み合わせられ得る、又は、本システム、デバイス及び方法に係る別々のデバイス若しくはデバイスの一部の間において分離される及び／又は実行され得ることを理解されたい。
【０１０５】
最後に、上述の説明は、本システムの単なる例示と意図され、添付の請求項を特定の実施例又は実施例のグループに限定するものとみなされるべきではない。よって、本システムは、特定の例示的実施例を参照して特に詳細に説明されてきた一方で、多くの変形例及び他の実施例が、以下の請求項で述べられるような本システムの広い意図された趣旨及び範囲から離れることなく、通常の当業者により考察されてもよい。明細書及び図面は、例示的態様とみなされ、添付の請求項の範囲を制限することを意図していない。
【０１０６】
添付の請求項を解釈する際、以下のように理解されるべきである。
ａ）用語「有する」は、所与の請求項にあげられたもの以外の他の要素又は行為の存在を除外しない。
ｂ）要素に先行する用語「ａ」又は「ａｎ」は、斯様な要素の複数の存在を除外しない。
ｃ）請求項内の参照符号は請求の範囲を限定しない。
ｄ）幾つかの「手段」は、同一の若しくは異なる品目、ハードウェア又はソフトウェアで実行される構造又は機能により表されてもよい。
ｅ）開示されている要素の何れもハードウェア部分（例えば、ディスクリート回路及び集積電子回路を含む）、ソフトウェア部分（例えば、コンピュータプログラム）及びこれらの組み合わせを有してもよい。
ｆ）ハードウェア部分は、アナログ部分及びデジタル部分の一方又は両方を有してもよい。
ｇ）開示されたデバイス又はそれらの一部の何れも特に言及がない限り組み合わせられたり、更に部分へ分けられてもよい。
ｈ）行為又はステップの特定のシーケンスは、特に示されないならば要求されているわけではない。
ｉ）用語「複数の」要素は、２以上のクレームされた要素を含み、特定の範囲の数の要素を意味しているわけではない、すなわち、複数の要素は、最小で２つの要素であり、数え切れないほどの要素を含んでもよい。
【図１Ａ】
0005578526.tif 000002
【図１Ｂ】
0005578526.tif 000003
【図１Ｃ】
0005578526.tif 000004
【図２】
0005578526.tif 000005
【図３】
0005578526.tif 000006
【図４Ａ】
0005578526.tif 000007
【図４Ｂ】
0005578526.tif 000008
【図４Ｃ】
0005578526.tif 000009
【図４Ｄ】
0005578526.tif 000010
【図４Ｅ】
0005578526.tif 000011
【図５】
0005578526.tif 000012
【図６】
0005578526.tif 000013
【図７】
0005578526.tif 000014
【図８Ａ】
0005578526.tif 000015
【図８Ｂ】
0005578526.tif 000016
【図８Ｃ】
0005578526.tif 000017
【図９】
0005578526.tif 000018
【図１０Ａ】
0005578526.tif 000019
【図１０Ｂ】
0005578526.tif 000020
【図１１】
0005578526.tif 000021
【図１２】
0005578526.tif 000022
【図１３】
0005578526.tif 000023
【図１４】
0005578526.tif 000024
【図１５】
0005578526.tif 000025
【図１６】
0005578526.tif 000026
【図１７】
0005578526.tif 000027
【図１８】
0005578526.tif 000028
【図１９】
0005578526.tif 000029
【図２０】
0005578526.tif 000030